【手続補正書】
【提出日】平成17年5月17日(2005.5.17)
【手続補正１】
【補正対象書類名】明細書
【補正対象項目名】特許請求の範囲
【補正方法】変更
【補正の内容】
【特許請求の範囲】
【請求項１】
少なくとも左右の脚部骨格と、該左右の脚部骨格に連結される腰部骨格と、該腰部骨格に連結される胴部骨格と、該胴部骨格と連結される左右の腕部骨格で一連の人形骨格群を構成し、
前記胴部骨格は、腰部骨格と連結される腹骨格部と、該腹骨格部と連結される胸骨格部からなる複数骨格によって駆動可能に構成されており、
腹骨格部は、その一端側に腰部骨格連結部を備えるとともに、他端側に胸部骨格連結部を備え、
前記腰部骨格連結部は、腹骨格部の一端側に揺動可能に備えられるとともに、腰部骨格に備えた胴部下端骨格連結部の嵌合穴に回動可能に嵌合される第一嵌入杆を備え、
前記胸部骨格連結部は、腹骨格部の一端側に揺動可能に備えられるとともに、胸骨格部に備えた嵌合穴に回動可能に嵌合される第二嵌入杆を備えたことを特徴とするソフトビニル製大型可動人形の骨格構造。
【請求項２】
胸骨格部には、首部骨格が連結され、
該首部骨格は、人形用の頭部を嵌着する頭部外皮嵌着部を備え、
該頭部外皮嵌着部は、上下方向に揺動自在に備えられていることを特徴とする請求項１に記載のソフトビニル製大型可動人形の骨格構造。
【請求項３】
首部骨格は、人形用胴体の首部外皮挿着部と、人形用の頭部を嵌着する頭部外皮嵌着部とを備え、
前記首部外皮挿着部が胸骨格部に連結され、
前記頭部外皮嵌着部は、前記首部外皮挿着部とスプリングを介して上下方向に揺動自在に連結されていることを特徴とする請求項１に記載のソフトビニル製大型可動人形の骨格構造。
【請求項４】
少なくとも左右の脚部骨格と、該左右の脚部骨格に連結される腰部骨格と、該腰部骨格に連結される胴部骨格と、該胴部骨格と連結される左右の腕部骨格で一連の人形骨格群を構成し、
左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、
下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、
上記足首部の下脚外皮下端嵌着部と膝部の下脚外皮上端嵌着部との間にわたって嵌脱自在に掛け渡される脛用補強連結杆と、
上脚外皮の上端開口縁が嵌着される上脚外皮上端嵌着部と、腰部骨格の脚付け根部側連結部を連結する腰部骨格連結部とを有する脚付け根部と、
該脚付け根部の上脚外皮上端嵌着部と膝部の上脚外皮下端嵌着部との間にわたって嵌脱自在に掛け渡される太腿用補強連結杆とで構成され、
腰部骨格は、少なくとも、左右の脚付け根部の腰部骨格連結部と回動可能に連結する脚付け根部側連結部と、胴部骨格の下端側と連結する胴部下端骨格連結部とを備えて構成され、
胴部骨格は、少なくとも、腰部骨格の上端側と連結する腰部骨格連結部と、左右の腕部骨格と夫々連結する腕部骨格連結部とを備えて構成され、
左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、
上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、
下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成されていることを特徴とするソフトビニル製大型可動人形の骨格構造。
【請求項５】
足首部の足部外皮嵌着部には、足部外皮の開口縁が嵌着される嵌合凹部が備えられ、下脚外皮下端嵌着部には、下脚外皮の下端開口縁が嵌着される嵌合凹部が備えられ、
膝部の下脚外皮上端嵌着部には、下脚外皮の上端開口縁が嵌着される嵌合凹部が備えられ、上脚外皮下端嵌着部には、上脚外皮の下端開口縁が嵌着される嵌合凹部が備えられ、
脚付け根部の上脚外皮上端嵌着部には、上脚外皮の上端開口縁が嵌着される嵌合凹部が備えられ、
肩部の上腕外皮上端嵌着部には、上腕外皮の上端開口縁が嵌着される嵌合凹部が備えられ、
肘部の上腕外皮下端嵌着部には、上腕外皮の下端開口縁が嵌着される嵌合凹部が備えられ、下腕外皮上端嵌着部には、下腕外皮の上端開口縁が嵌着される嵌合凹部が備えられ、
手首部の下腕外皮下端嵌着部には、下腕外皮の下端開口縁が嵌着される嵌合凹部が備えられ、手部外皮嵌着部には、手部外皮の開口縁が嵌着される嵌合凹部が備えられていることを特徴とする請求項４に記載のソフトビニル製大型可動人形の骨格構造。
【請求項６】
足首部は、足部外皮嵌着部の底面に、足部外皮の指先方向へと延びる足底部が一体的に備えられていることを特徴とする請求項４又は５のいずれかに記載のソフトビニル製大型可動人形の骨格構造。
【請求項７】
脛用補強連結杆は、所望長さの棒状で、その下端側を足首部の下脚外皮下端嵌着部の嵌合穴に差込嵌着させると共に、その上端側を膝部の下脚外皮上端嵌着部の嵌合穴に差込嵌着させて嵌脱自在に掛け渡され、
太腿用補強連結杆は、所望長さの棒状で、その上端側を脚付け根部の上脚外皮上端嵌着部の嵌合穴に差込嵌着させると共に、その下側を膝部の上脚外皮下端嵌着部の嵌合穴に差込嵌着させて嵌脱自在に掛け渡されることを特徴とする請求項４乃至６のいずれかに記載のソフトビニル製大型可動人形の骨格構造。
【請求項８】
肩部の上腕外皮上端嵌着部と肘部の上腕外皮下端嵌着部との間にわたって、所望長さの上腕用補強連結杆が嵌脱自在に掛け渡され、
肘部と手首部との間にわたって、所望長さの下腕用補強連結杆が嵌脱自在に掛け渡されていることを特徴とする請求項４乃至７のいずれかに記載のソフトビニル製大型可動人形の骨格構造。
【請求項９】
胴部骨格の腰部骨格連結部と対峙する側に首部骨格を着脱可能に備え、該首部骨格は、首部外皮の開口が挿着される首部外皮挿着部と、頭部外皮の開口縁が嵌着される頭部外皮嵌着部とで構成され、
この頭部外皮嵌着部は、首部外皮挿着部上端に位置すると共に、上下方向に揺動自在に備えられ、かつ常時首部外皮挿着部上端方向に引っ張り力が作用する構成としたことを特徴とする請求項４乃至８のいずれかに記載のソフトビニル製大型可動人形の骨格構造。
【請求項１０】
左右の脚部骨格と、該左右の脚部骨格に連結される腰部骨格と、該腰部骨格に連結される胴部骨格と、該胴部骨格と連結される左右の腕部骨格と、該胴部骨格の腰部骨格連結部と対峙する側に着脱可能に備えられる首部骨格とで構成される一連の人形骨格群と、
上記夫々の骨格外周に備えられる脚部外皮と、腰部外皮と、胴部外皮と、腕部外皮と、頭部外皮とで構成されるソフトビニル製の人形外皮群とで構成され、
左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、該足首部の下脚外皮下端嵌着部と膝部の下脚外皮上端嵌着部との間にわたって嵌脱自在に掛け渡される脛用補強連結杆と、上脚外皮の上端開口縁が嵌着される上脚外皮上端嵌着部と、腰部骨格の脚付け根部側連結部を連結する腰部骨格連結部とを有する脚付け根部と、該脚付け根部の上脚外皮上端嵌着部と膝部の上脚外皮下端嵌着部との間にわたって嵌脱自在に掛け渡される太腿用補強連結杆とで構成され、
腰部骨格は、少なくとも、左右の脚付け根部の腰部骨格連結部と回動可能に連結する脚付け根部側連結部と、胴部骨格の下端側と連結する胴部下端骨格連結部とを備えて構成され、
胴部骨格は、少なくとも、腰部骨格の上端側と連結する腰部骨格連結部と、左右の腕部骨格と夫々連結する腕部骨格連結部とを備えて構成され、
左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成され、
首部骨格は、首部外皮の開口が挿着される首部外皮挿着部と、頭部外皮の開口縁が嵌着される頭部外皮嵌着部とで構成されて、胴部骨格の腰部骨格連結部と対峙する側に着脱可能に備えられ、この頭部外皮嵌着部は、首部外皮挿着部上端に位置すると共に、上下方向に揺動自在に備えられ、かつ常時首部外皮挿着部上端方向に引っ張り力が作用する構成とされ、
左右の脚部外皮は、足部外皮と下脚外皮と上脚外皮からなり、
足部外皮は、上記足首部の足部外皮嵌着部に嵌着される開口縁を、上端に設けた開口の径方向内方に突設した全体中空の足形状に形成され、
下脚外皮は、上記足首部の下脚外皮下端嵌着部に嵌着される開口縁を、下端に設けた開口の径方向内方に突設すると共に、上記膝部の下脚外皮上端嵌着部に嵌着される開口縁を、上端に設けた開口の径方向内方に突設してなる全体中空筒状に形成され、足首部の下脚外皮下端嵌着部と膝部の下脚外皮上端嵌着部とにわたって掛け渡される脛用補強連結杆を内装し、
上脚外皮は、上記膝部の上脚外皮下端嵌着部に嵌着される開口縁を、下端に設けた開口の径方向内方に突設すると共に、上記脚付け根部の上脚外皮上端嵌着部に嵌着される開口縁を、上端に設けた開口の径方向内方に突設してなる全体中空筒状に形成され、膝部の上脚外皮下端嵌着部と脚付け根部の上脚外皮上端嵌着部とにわたって掛け渡される太腿用補強連結杆を内装し、
腰部外皮は、腰部骨格を内装する空間を有すると共に、上端に胴部外皮下端を挿入する開口を有し、かつ股間位置には、左右の脚付け根部を連結する連結空間を有する全体中空の腰部形状に形成され、
胴部外皮は、胴部骨格を内装する空間を有すると共に、上端に首部骨格の首部外皮挿着部を挿入する開口を有し、かつ両肩位置には左右の腕部骨格を連結する連結空間を有する全体中空の胴部形状に形成され、
左右の腕部外皮は、該左右の腕部骨格を被覆して備えられる上腕外皮，下腕外皮及び手部外皮とからなり、
上腕外皮は、上記肩部の上腕外皮上端嵌着部に嵌着される開口縁を、上端に設けた開口の径方向内方に突設すると共に、上記肘部の上腕外皮下端嵌着部に嵌着される開口縁を、下端に設けた開口の径方向に突設してなる全体中空筒状に形成され、
下腕外皮は、上記肘部の下腕外皮上端嵌着部に嵌着される開口縁を、上端に設けた開口の径方向内方に突設すると共に、上記手首部の下腕外皮下端嵌着部に嵌着される開口縁を、下端に設けた開口の径方向に突設してなる全体中空状に形成され、
手部外皮は、上記手首部の手部外皮嵌着部に嵌着される開口縁を備えた全体中空の手形状に形成され、
頭部外皮は、首部骨格の頭部外皮嵌着部に嵌着する開口縁を備えた全体頭部形状に形成されていることを特徴とするソフトビニル製大型可動人形。
【手続補正２】
【補正対象書類名】明細書
【補正対象項目名】０００５
【補正方法】変更
【補正の内容】
【０００５】
【課題を解決するための手段】
上記課題を達成するために本発明がなした技術的手段は、少なくとも左右の脚部骨格と、該左右の脚部骨格に連結される腰部骨格と、該腰部骨格に連結される胴部骨格と、該胴部骨格と連結される左右の腕部骨格で一連の人形骨格群を構成し、前記胴部骨格は、腰部骨格と連結される腹骨格部と、該腹骨格部と連結される胸骨格部からなる複数骨格によって駆動可能に構成されており、腹骨格部は、その一端側に腰部骨格連結部を備えるとともに、他端側に胸部骨格連結部を備え、前記腰部骨格連結部は、腹骨格部の一端側に揺動可能に備えられるとともに、腰部骨格に備えた胴部下端骨格連結部の嵌合穴に回動可能に嵌合される第一嵌入杆を備え、前記胸部骨格連結部は、腹骨格部の一端側に揺動可能に備えられるとともに、胸骨格部に備えた嵌合穴に回動可能に嵌合される第二嵌入杆を備えたことを特徴とするソフトビニル製大型可動人形の骨格構造としたことである。
また、前記胸骨格部には、首部骨格が連結され、該首部骨格は、人形用の頭部を嵌着する頭部外皮嵌着部を備え、該頭部外皮嵌着部は、上下方向に揺動自在に備えられているものとすることができる。
また、前記首部骨格は、人形用胴体の首部外皮挿着部と、人形用の頭部を嵌着する頭部外皮嵌着部とを備え、前記首部外皮挿着部が胸骨格部に連結され、前記頭部外皮嵌着部は、前記首部外皮挿着部とスプリングを介して上下方向に揺動自在に連結されているものとすることができる。
さらに、少なくとも左右の脚部骨格と、該左右の脚部骨格に連結される腰部骨格と、該腰部骨格に連結される胴部骨格と、該胴部骨格と連結される左右の腕部骨格で一連の人形骨格群を構成し、
左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、
下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、
上記足首部の下脚外皮下端嵌着部と膝部の下脚外皮上端嵌着部との間にわたって嵌脱自在に掛け渡される脛用補強連結杆と、
上脚外皮の上端開口縁が嵌着される上脚外皮上端嵌着部と、腰部骨格の脚付け根部側連結部を連結する腰部骨格連結部とを有する脚付け根部と、
該脚付け根部の上脚外皮上端嵌着部と膝部の上脚外皮下端嵌着部との間にわたって嵌脱自在に掛け渡される太腿用補強連結杆とで構成され、
腰部骨格は、少なくとも、左右の脚付け根部の腰部骨格連結部と回動可能に連結する脚付け根部側連結部と、胴部骨格の下端側と連結する胴部下端骨格連結部とを備えて構成され、
胴部骨格は、少なくとも、腰部骨格の上端側と連結する腰部骨格連結部と、左右の腕部骨格と夫々連結する腕部骨格連結部とを備えて構成され、
左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、
上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、
下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成されているソフトビニル製大型可動人形の骨格構造とした。